(57)【要約】【課題】  本発明の目的は、壁掛け洋風便器を固定する際、排水ソケットを壁面に固定するが、開口部にバリがあった場合、壁掛け洋風便器の排水口が差し込まれる排水ソケットが適正な角度で固定されず、排水パッキンがねじれや偏りによって漏水の不安があったが、開口部のバリがあっても、排水ソケットが適正な角度で固定できる技術を提供するものである。 【解決手段】  本発明では、排水ソケットと壁面との間に緩衝材を配置することにより、開口部のバリの影響を受けず、適正な角度で排水ソケットを設置し、常に排水パッキンを適正な位置に施工することが出来る。【選択図】  図２
2006249859.tif 000002
【特許請求の範囲】
【請求項１】
壁面の背後空間の排水本管から分岐した排水枝管の先端にソケットを取り付け、前記ソケットに対し便器背面の排水口を接続した構造において、
前記ソケットには、前記ソケットの外周面から外方に突出した突出部が設けられ、
前記ソケットは前記突出部を前記壁面当接させて配設するものであって、
前記突出部には、前記突出部の表面が前記壁面に設けられた配管挿通用開口部表面の周縁部に当接しないように凹部が設けられたことを特徴とする便器と排水管の接続構造。
【請求項２】
壁面の背後空間の排水本管から分岐した排水枝管の先端にソケットを取り付け、前記ソケットに対し便器背面の排水口を接続した構造において、
前記ソケットには、前記ソケットの外周面から外方に突出した突出部が設けられ、
前記壁面に設けられた配管挿通用開口部へ前記ソケットを配設する際に、
前記壁面と前記突出部の間に緩衝材を設けたことを特徴とする便器と排水管の接続構造。
【発明の詳細な説明】
【技術分野】
【０００１】
本発明は、便器と排水管の接続構造に係り、特に壁掛け型大便器と排水管との接続に好適な施工構造に関する発明である。 
【背景技術】
【０００２】
従来の技術として、壁掛け型洋風便器施工構造について、第６図に示す。（例えば特許文献１参照）
【０００３】
この技術では、排水ソケット１０２が排水管１０７と一体に固定され開口部１００に直接当接され、接続用のパッキン１０４が固定された便器排水口１０３が差し込まれる構造となっている。
【０００４】
排水ソケット１０２が開口部１００に直接当接されているため、開口部１００にバリが出ている場合、排水ソケット１０２が開口部１００に傾いて当接し、排水口１３３に対して傾いて固定されてしまうため、接続用のパッキン１０４が片寄せもしくはねじれが発生し、大便器使用中に漏水の恐れがあった。
【特許文献１】特開平０８−２０９７８６号公報（７頁、第６図）
【発明の開示】
【発明が解決しようとする課題】
【０００５】
このように、従来の便器と排水管の接続方法では、開口部にバリがでている場合、排水ソケットを適正な位置、方向に配置することができない。よってバリがでている場合は、便器と排水管の接続不良が発生する場合があった。
【０００６】
本発明は、上記問題を解決するためになされたもので、開口部にバリがでている状態でも、便器排水口と排水ソケットの接続不良を確実に防止できる便器と排水管の接続構造を提供することを目的とする。
【課題を解決するための手段】
【０００７】
上記目的を達成するために請求項１記載の発明のよれば、壁面の背後空間の排水本管から分岐した排水枝管の先端にソケットを取り付け、前記ソケットに対し便器背面の排水口を接続した構造において、前記ソケットには、前記ソケットの外周面から外方に突出した突出部が設けられ、前記ソケットは前記突出部を前記壁面当接させて配設するものであって、前記突出部には、前記突出部の表面が前記壁面に設けられた配管挿通用開口部表面の周縁部に当節しないように凹部を設けた。
【０００８】
また、請求項２記載の発明のよれば、壁面の背後空間の排水本管から分岐した排水枝管の先端にソケットを取り付け、前記ソケットに対し便器背面の排水口を接続した構造において、前記ソケットには、前記ソケットの外周面から外方に突出した突出部が設けられ、
前記壁面に設けられた配管挿通用開口部へ前記ソケットを配設する際に、前記壁面と前記突出部の間に前記緩衝材を設けた。
【発明の効果】
【０００９】
本発明によれば、排水ソケットが、開口部にバリがでている場合でも、開口部のバリの影響をうけずに、排水口と排水ソケットが適正な位置で接続され、施工後の漏水の不安を解決するという効果がある。
【発明を実施するための最良の形態】
【００１０】
図１〜図６にて実施例について説明する。
【実施例】
【００１１】
図１において、本実施例を採用した施工例である。フレーム４をトイレ室内壁側３と床側５に固定し、フレーム４の壁面２が固定され、壁面２に第２図、もしくは第４図の構造が設置され、洋風便器１が固定される。実施例では、壁掛け洋風便器をあげているが、本発明は、壁掛け小便器も適用される。
【００１２】
図２に本発明の第一の実施形態を示す。図２において排水横管１０にジャバラホース９とつながっており、ジャバラホース９の先端が、排水ソケットのジャバラ管接続側１１ｃと接続される構造となっている。排水ソケット１１は、外周面から外方に突出した突出部１１ｂが設けられ、前記壁面２に設けられた配管挿通用開口部８へ前記ソケットを配設する際に、前記壁面２と前記突出部１１ｂの間に緩衝材７を備えている。緩衝材７は、発泡ウレタンが望ましい。緩衝材７は開口部８のバリを吸収するものであり、排水ソケット１１は、緩衝材７により洋風便器１の排水口１３に対して適正な角度となり、洋風便器１を取り付ける時、排水口１３と排水ソケット１１が適正な角度でパッキン３と排水ソケット１１が嵌合される。また、突出部１１ｂと開口部８との間に緩衝材７を備えることにより、開口部８だけでなく前記壁面２の傾きや凹凸に対しても対応が可能である。
【００１３】
図３に、本発明の第一の実施形態における排水ソケット１１についての詳細図を示す。壁面２は、排水ソケット１１のジャバラ接続側１１ｃの外形よりも大きい開口部２ａがあり、排水ソケット１１の突出部１１ｂの径は、壁面２の配管挿通用開口部８よりも大きい。突出部１１ｂと壁面２の間に緩衝材７を配している。また、排水口１３が差し込まれるパッキン接続側１１ａよりも大きいクッション材１３とスリップ材１４を設置し、押え部材９を壁面２に固定し排水ソケット１１を挟み込む形となる。押え部材１２の開口部１２ａは、パッキン接続側１１ａの外径よりも大きく突出部１１ｂよりも小さい。突出部１１ｂと壁面２の間に緩衝材７を配していることにより、配管挿通用開口部８のバリや、凹凸の影響を受けず適正な角度で排水ソケット１１を配置できる。また、突出部１１ｂと開口部８の間に緩衝材７を配していることにより、壁面２の傾きや凹凸に対しても適正な角度で排水ソケット１１を配置できるという効果もある。
【００１４】
図４に本発明の緩衝材７の実施形態を示す。図４において、緩衝材７は図３に示すような円形に限定されず、図４ａに示すように緩衝材７ａのような半円のものを図４ｃのように突出部１１ｂに２枚設置する場合や、図４ｂに示すように緩衝材７ａよりもさらに小さい緩衝材７ｂを図４ｃのように２枚設置しても同様の効果が得られる。
【００１５】
図５に本発明の第二の実施形態を示す。図５において排水横管１０にジャバラホース９とつながっており、ジャバラホース９の先端が、排水ソケット１１のジャバラ接続側１１ｃと接続される構造となっている。排水ソケット１１は、外周面から外方に突出した突出部１１ｂが設けられ、前記壁面２に設けられた配管挿通用開口部８へ前記ソケットを配設する際に、前記突出部１１ｂが配管挿通用開口部８の周縁部に当接しないように前記突出部１１ｂに凹部１７を設けている。このように排水ソケット１１の突出部１１ｂが配管挿通用開口部８に直接当接させない形状とすることにより、開口部８のバリに影響しない形状となっており、排水ソケット１１は、凹部１７により洋風便器１の排水口１３に対して適正な角度で配設することが可能となり、洋風便器１を取り付ける時、排水口１３と排水ソケット１１が適正な角度でパッキン３と排水ソケット１１が嵌合される。
【００１６】
図６に、本発明の第二の実施形態における排水ソケット１１についての詳細図を示す。排水ソケット１１の突出部１１ｂにはジャバラ接続側１１ｃの外形よりも大きい凹部１７を備えている。凹部１７を設けることによって、配管挿通用開口部８の周縁部に排水ソケット１１の突出部１１ｂが当接しない形状となっているので、配管挿通用開口部８のバリの影響を受けず適正な角度で排水ソケット１１を配置できる。
【産業上の利用可能性】
【００１７】
本発明は壁掛け洋風便器や壁掛け小便器にも適用可能である
【図面の簡単な説明】
【００１８】
【図１】本発明を利用した施工例を示す立面図である。
【図２】本発明の第一の実施形態を示す断面図である。
【図３】本発明の第一の実施形態における排水ソケットの詳細を示す斜視図である
【図４】本発明の第一の実施形態における緩衝材の詳細を示す斜視図である。
【図５】本発明の第二の実施形態を示す断面図である。
【図６】本発明の第二の実施形態における排水ソケットの詳細を示す斜視図である
【図７】従来構造示す断面図である。
【符号の説明】
【００１９】
１…壁掛け大便器
２…壁面
６…パッキン
７…緩衝材
８…配管挿通用開口部
９…蛇腹管
１１…排水ソケット
１１ｂ…突出部
１２…押え部材
１３…クッション材
１４…スリップ材
１７…凹部
【図１】
2006249859.tif 000003
【図２】
2006249859.tif 000004
【図３】
2006249859.tif 000005
【図４】
2006249859.tif 000006
【図５】
2006249859.tif 000007
【図６】
2006249859.tif 000008
【図７】
2006249859.tif 000009